【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
表示手段と、
外部機器と接続する接続手段と、
前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段と
を有することを特徴とする撮像装置。
【請求項２】
表示手段と、
外部機器と接続する接続手段と、
前記外部機器の設定モードに関する情報を取得可能な取得手段と、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、オートモードの場合には、前記第１の画面よりも上位の階層の第２の画面を前記表示手段に表示するように制御する表示制御手段とを有することを特徴とする撮像装置。
【請求項３】
表示手段と、
外部機器と接続する接続手段と、
前記外部機器の設定モードに関する情報を取得可能な取得手段と、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御する表示制御手段とを有することを特徴とする撮像装置。
【請求項４】
前記表示制御手段は、前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御することを特徴とする請求項２に記載の撮像装置。
【請求項５】
前記表示制御手段は、前記特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御するように制御することを特徴とする請求項２乃至４のいずれか１項に記載の撮像装置。
【請求項６】
前記外部機器はストロボ発光装置であり、前記第１の画面は前記ストロボ発光装置の発光量を設定するための画面であることを特徴とする請求項２乃至５のいずれか１項に記載の撮像装置。
【請求項７】
前記外部機器はストロボ発光装置であり、前記第２の画面は、前記ストロボ発光装置の発光量を設定するための第１の項目と、前記ストロボ発光装置の発光回数を設定するための第２の項目とを含み、前記第１の項目の項目を選択したことに応じて前記発光量を設定するための画面が表示され、前記第２の項目の項目を選択したことに応じて前記発光回数を設定するための画面が表示されることを特徴とする請求項２または４に記載の撮像装置。
【請求項８】
前記外部機器はストロボ発光装置で、前記所定の処理はストロボの発光であり、前記第３の画面は、前記ストロボ発光装置の発光回数または周期を設定するための画面であることを特徴とする請求項３に記載の撮像装置。
【請求項９】
前記外部機器は、ストロボ発光装置であり、前記ストロボ発光装置のストロボ発光しない設定である場合にはストロボ発光をする設定と、ストロボ発光をしない設定とを切り替えるための画面を前記表示手段に表示し、
前記特定の操作が行われたことを検出すると、前記ストロボ発光装置のストロボ発光する設定である場合は、前記ストロボの発光に関する調整値を設定するための画面を前記表示手段に表示することを特徴とする請求項１または３に記載の撮像装置。
【請求項１０】
前記接続手段は、前記外部機器の操作部材に対して特定の操作が行われると、前記撮像装置がスリープ状態である場合には該スリープ状態から復帰させるための要求を受信し、前記撮像装置がスリープ状態でない場合には前記外部機器に関する設定を行うための設定画面を表示させるための要求を受信することを特徴とする請求項１乃至９のいずれか１項に記載の撮像装置。
【請求項１１】
表示手段と、外部機器と接続する接続手段を有する撮像装置の制御方法であって、
前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御ステップを有することを特徴とする撮像装置の制御方法。
【請求項１２】
表示手段と、外部機器と接続する接続手段を有する撮像装置の制御方法であって、
前記外部機器の設定モードに関する情報を取得可能な取得ステップと、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、オートモードの場合には、前記第１の画面よりも上位の階層の第２の画面を前記表示手段に表示するように制御する表示制御ステップとを有することを特徴とする撮像装置の制御方法。
【請求項１３】
表示手段と、外部機器と接続する接続手段を有する撮像装置の制御方法であって、
前記外部機器の設定モードに関する情報を取得可能な取得ステップと、
前記接続手段に接続された外部機器の操作部材において特定の操作が行われたことを検出すると、前記外部機器の設定モードがマニュアルモードである場合には第１の画面を前記表示手段に表示し、
前記特定の操作が行われたことを検出すると、前記外部機器の設定モードが前記マニュアルモードでない、一定間隔で前記外部機器の所定の処理を実行するマルチモードの場合には、第３の画面を前記表示手段に表示するように制御する表示制御ステップとを有することことを特徴とする撮像装置の制御方法。
【請求項１４】
コンピュータを、請求項１乃至１０のいずれか１項に記載された撮像装置の各手段として機能させるためのプログラム。
【請求項１５】
コンピュータを、請求項１乃至１０のいずれか１項に記載された撮像装置の各手段として機能させるためのプログラムを格納したコンピュータが読み取り可能な記憶媒体。
【請求項１６】
外部機器と撮像装置を含む撮像システムであって、
前記外部機器は、操作部材を有し
前記撮像装置は、
表示手段と、
前記外部機器と接続する接続手段と、
前記接続手段に接続された外部機器の前記操作部材において特定の操作が行われたことに応じて、前記外部機器を用いた機能を使用するか否かの設定が使用しない設定である場合には前記外部機器を用いた機能の使用有無を切り替えるための切り替え画面を前記表示手段に表示し、前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段と
を有することを特徴とする撮像システム。
【手続補正２】
【補正対象書類名】明細書
【補正対象項目名】０００７
【補正方法】変更
【補正の内容】
【０００７】
上記課題を解決するために、本発明の撮像装置は、表示手段と、外部機器と接続する接続手段と、前記接続手段に接続された外部機器の操作部材において特定の操作が行われたことを検出すると、前記外部機器を用いた機能を使用するか否かの設定が使用しない設定である場合には前記外部機器を用いた機能の使用有無を切り替えるための切り替え画面を前記表示手段に表示し、
前記特定の操作が行われたことを検出すると、前記外部機器を用いた機能を使用するか否かの設定が使用する設定である場合は、前記外部機器を用いた機能に関する調整値を設定するための設定画面を前記表示手段に表示するように制御する表示制御手段とを有することを特徴とする。